(57)【要約】【課題】二重の嵌合がより強固に外れにくくなるようにできる結合装置、包装用容器及び切り花用容器を提供する。【解決手段】容器本体１０に形成された第１開口１０ａの周縁に沿って延設され、内周側及び外周側に第１内周側嵌合部１６及び第１外周側嵌合部１７をそれぞれ有する第１折返し部１４と、中容器２０に形成された第２開口２０ａの周縁に沿って延設され、内周側及び外周側に１６と嵌合する第２内周側嵌合部２６及び第１外周側嵌合部１７と嵌合する第２外周側嵌合部２７をそれぞれ有する第２折返し部２４と、カバー３０に形成された第３開口３０ａの周縁に沿って延設され、内周側及び外周側に第２内周側嵌合部２６と嵌合する第３内周側嵌合部３６及び第２外周側嵌合部２７と嵌合する第３外周側嵌合部３７をそれぞれ有する第３折返し部３４とを備える。【選択図】図３
2019196204.tif 000002
【特許請求の範囲】
【請求項１】
合成樹脂製の第１部材に形成された第１開口の周縁に沿って延設され、内周側及び外周側に第１内周側嵌合部及び第１外周側嵌合部をそれぞれ有する第１折返し部と、
合成樹脂製の第２部材に形成された第２開口の周縁に沿って延設され、内周側及び外周側に前記第１内周側嵌合部と嵌合する第２内周側嵌合部及び前記第１外周側嵌合部と嵌合する第２外周側嵌合部をそれぞれ有する第２折返し部と、
合成樹脂製の第３部材に形成された第３開口の周縁に沿って延設され、内周側及び外周側に前記第２内周側嵌合部と嵌合する第３内周側嵌合部及び前記第２外周側嵌合部と嵌合する第３外周側嵌合部をそれぞれ有する第３折返し部とを備えた、結合装置。
【請求項２】
請求項１に記載の結合装置と、
前記第１部材としての第１容器と、
前記第３部材としての第３容器と、
前記第１容器及び前記第３容器の内部空間を仕切る前記第２部材としての第２容器とを備えた、包装用容器。
【請求項３】
請求項１に記載の結合装置と、
前記第１部材としての容器本体と、
前記第３部材としてのカバーと、
前記容器本体及び前記カバーの内部空間を仕切る前記第２部材としての中容器とを備え、
前記中容器には、前記容器本体及び前記カバーの間を連通する透孔が形成された、切り花用容器。
【請求項４】
請求項３に記載の切り花用容器において、
前記カバーの上壁には、通気孔が形成されており、
前記容器本体の底壁には、上下方向に積み重ねた状態で下方に位置する切り花用容器の前記上壁との間に上下方向の隙間が生じるように該上壁の周縁が挿入可能な筒部が突設されており、
前記筒部には、挿入状態にある下方に位置する切り花用容器の前記上壁の周縁に交差する方向に連通する通気溝が形成された、切り花用容器。
【発明の詳細な説明】
【技術分野】
【０００１】
本発明は、結合装置、包装用容器及び切り花用容器に関するものである。
【背景技術】
【０００２】
従来、包装用容器としては、例えば特許文献１に記載されたものが知られている。この包装用容器は、上面開口の第一容器本体と、該第一容器本体に上側から装着される上面開口の第二容器本体と、該第二容器本体に装着される蓋体とを備える。第一容器本体は、下側に向けて拡開する逆テーパ状の第一本体嵌合部を側壁部に備え、第二容器本体は、下側に向けて拡開する逆テーパ状の第二本体嵌合部を側壁部に備え、蓋体は、下側に向けて拡開する逆テーパ状の蓋嵌合部を備えている。そして、第一容器本体と第二容器本体と蓋体とが合体した状態において、第二本体嵌合部の外面に第一本体嵌合部の内面が嵌合し、第二本体嵌合部の内面に蓋嵌合部の外面が嵌合する。これにより、第一本体嵌合部と第二本体嵌合部と蓋嵌合部とは内外方向に重なり合って二重の内嵌合状態となることで、第一容器本体と第二容器本体との間、及び、第二容器本体と蓋体との間で嵌合が外れにくいという。
【先行技術文献】
【特許文献】
【０００３】
【特許文献１】特許第６１０８６４６号公報
【発明の概要】
【発明が解決しようとする課題】
【０００４】
ところで、こうした包装用容器では、二重の嵌合が更に強固に外れにくくなることが求められている。
本発明の目的は、二重の嵌合がより強固に外れにくくなるようにできる結合装置、包装用容器及び切り花用容器を提供することにある。
【課題を解決するための手段】
【０００５】
上記課題を解決する結合装置は、合成樹脂製の第１部材に形成された第１開口の周縁に沿って延設され、内周側及び外周側に第１内周側嵌合部及び第１外周側嵌合部をそれぞれ有する第１折返し部と、合成樹脂製の第２部材に形成された第２開口の周縁に沿って延設され、内周側及び外周側に前記第１内周側嵌合部と嵌合する第２内周側嵌合部及び前記第１外周側嵌合部と嵌合する第２外周側嵌合部をそれぞれ有する第２折返し部と、合成樹脂製の第３部材に形成された第３開口の周縁に沿って延設され、内周側及び外周側に前記第２内周側嵌合部と嵌合する第３内周側嵌合部及び前記第２外周側嵌合部と嵌合する第３外周側嵌合部をそれぞれ有する第３折返し部とを備える。
【０００６】
この構成によれば、前記第１〜第３折返し部は、前記第１内周側嵌合部と前記第２内周側嵌合部とが嵌合するとともに、前記第２内周側嵌合部と前記第３内周側嵌合部とが嵌合することで、それらの内外方向の重なり合いによる二重の嵌合状態となる。同様に、前記第１〜第３折返し部は、前記第１外周側嵌合部と前記第２外周側嵌合部とが嵌合するとともに、前記第２外周側嵌合部と前記第３外周側嵌合部とが嵌合することで、それらの内外方向の重なり合いによる二重の嵌合状態となる。従って、前記第１〜第３部材は、前記第１〜第３折返し部の内外の２箇所で二重の嵌合状態となることで、それら第１〜第３部材の嵌合がより強固に外れにくくなるようにできる。
【０００７】
上記包装用容器は、上記結合装置と、前記第１部材としての第１容器と、前記第３部材としての第３容器と、前記第１容器及び前記第３容器の内部空間を仕切る前記第２部材としての第２容器とを備える。
【０００８】
この構成によれば、前記第１〜第３容器は、前記第１〜第３折返し部の内外の２箇所で二重の内嵌合状態となることで、例えば前記第１〜第３容器のいずれかに水を入れている場合に内部からの水漏れを抑制できる。
【０００９】
上記切り花用容器は、前記第１部材としての容器本体と、前記第３部材としてのカバーと、前記容器本体及び前記カバーの内部空間を仕切る前記第２部材としての中容器とを備え、前記中容器には、前記容器本体及び前記カバーの間を連通する透孔が形成される。
【００１０】
この構成によれば、例えば前記容器本体に水や保水材を入れている場合、前記カバー側から切り花の茎を前記透孔に挿入して前記容器本体内に進入させることで、当該切り花をより安定した姿勢で支持する状態で水やりできる。
【００１１】
上記切り花用容器について、前記カバーの上壁には、通気孔が形成されており、前記容器本体の底壁には、上下方向に積み重ねた状態で下方に位置する切り花用容器の前記上壁との間に上下方向の隙間が生じるように該上壁の周縁が挿入可能な筒部が突設されており、前記筒部には、挿入状態にある下方に位置する切り花用容器の前記上壁の周縁に交差する方向に連通する通気溝が形成されることが好ましい。
【００１２】
この構成によれば、前記容器本体、前記中容器及び前記カバーの嵌合状態にあっても、前記通気孔を通じて前記カバー内に通気できる。また、嵌合状態にある前記容器本体、前記中容器及び前記カバーを１組とする２組を上下方向に積み重ねたとしても、上方に位置する前記容器本体の前記通気溝及び下方に位置する前記カバーの前記通気孔を通じて当該カバー内に通気できる。
【発明の効果】
【００１３】
本発明は、二重の嵌合がより強固に外れにくくなるようにできる効果がある。
【図面の簡単な説明】
【００１４】
【図１】結合装置、包装用容器及び切り花用容器の一実施形態についてその構造を示す分解斜視図。
【図２】同実施形態の結合装置、包装用容器及び切り花用容器についてその構造を示す斜視図。
【図３】（ａ）、（ｂ）は、同実施形態の結合装置、包装用容器及び切り花用容器についてその構造を示す断面図及びその拡大図。
【図４】同実施形態の結合装置、包装用容器及び切り花用容器についてその構造を示す分解状態での断面図。
【発明を実施するための形態】
【００１５】
以下、結合装置、包装用容器及び切り花用容器の一実施形態について説明する。
図１及び図２に示すように、結合装置及び包装用容器としての切り花用容器１は、第１部材及び第１容器としての容器本体１０と、第２部材及び第２容器としての中容器２０と、第３部材及び第３容器としてのカバー３０とを備える。
【００１６】
容器本体１０は、シート成型で形成された合成樹脂（例えばＰＥＴ）製であって、切り花Ｆに供給する水又は保水材（ジェルなど）を入れるためのものである。この容器本体１０は、円形の底壁１１及び該底壁１１の周縁に接続されて上方に起立する略円錐台状の側壁１２を有して上方の拡開された円形の盛り皿状に成形されている。容器本体１０には、その上端に形成された第１開口１０ａの周縁に沿って円形の外向きのフランジ部１３が延設されるとともに、該フランジ部１３の外周縁に沿って円形の枠状の第１折返し部１４が延設されている。第１折返し部１４は、フランジ部１３の外周側（外側）で上方に開口するとともに周方向に連通するＵ字の溝形状を呈している。
【００１７】
なお、底壁１１の周縁部には、その内周側が上げ底されるように下向きに筒部１５が突設されている。この筒部１５には、等角度間隔で複数（本実施形態では４つ）の通気溝１５ａが形成されている。各通気溝１５ａは、下方に開口するとともに径方向（内外方向）に連通する逆Ｕ字の溝形状を呈している。つまり、筒部１５は、これら通気溝１５ａによって周方向に分断された複数（４つ）の円弧壁によって構成されている。
【００１８】
中容器２０は、シート成型で形成された合成樹脂（例えばＰＥＴ）製であって、容器本体１０及びカバー３０の内部空間を仕切るためのものである。この中容器２０は、円形の底壁２１及び該底壁２１の周縁に接続されて上方に起立する略円錐台状の側壁２２を有して上方の拡開された円形の盛り皿状に成形されている。中容器２０の高さ寸法は、容器本体１０の高さ寸法よりも小さく設定されている。中容器２０には、その上端に形成された第２開口２０ａの周縁に沿って環状の外向きのフランジ部２３が延設されるとともに、該フランジ部２３の外周縁に沿って円形の枠状の第２折返し部２４が延設されている。第２折返し部２４は、フランジ部２３の外周側（外側）で上方に開口するとともに周方向に連通するＵ字の溝形状を呈している。第２折返し部２４が連通する周方向の直径は、第１折返し部１４が連通する周方向の直径と同等に設定されている。中容器２０は、第２折返し部２４が上方から第１折返し部１４内に装着されることで容器本体１０に結合される。
【００１９】
なお、中容器２０の底壁２１には、透孔としての十字の切込み２１ａが形成されている。この切込み２１ａは、カバー３０側から切り花Ｆの茎を挿入して容器本体１０内に進入させるためのものである。これにより、当該切り花Ｆがより安定した姿勢で支持される。
【００２０】
カバー３０は、シート成型で形成された透明又は半透明な合成樹脂（例えばＰＥＴ）製であって、中容器２０に支持した切り花Ｆを上方から覆うためのものである。このカバー３０は、円形の上壁３１及び該上壁３１の周縁に接続されて下方に垂下する略円錐台状の側壁３２を有して下方の拡開された円形のドーム状に成形されている。カバー３０の高さ寸法は、容器本体１０の高さ寸法よりも大きく設定されている。カバー３０には、その下端に形成された第３開口３０ａの周縁に沿って円形の枠状の第３折返し部３４が延設されている。第３折返し部３４は、第３開口３０ａの外周側（外側）で上方に開口するとともに周方向に連通するＵ字の溝形状を呈している。第３折返し部３４が連通する周方向の直径は、第１折返し部１４等が連通する周方向の直径と同等に設定されている。カバー３０は、第３折返し部３４が上方から第２折返し部２４内に装着されることで中容器２０に結合される。容器本体１０及びカバー３０に結合される中容器２０は、それら容器本体１０及びカバー３０の内部空間を仕切る。
【００２１】
なお、カバー３０の上壁３１には、等角度間隔で複数（本実施形態では４つ）の円形の通気孔３１ａが形成されている。この通気孔３１ａは、カバー３０内に通気するためのものである。また、上壁３１の外径は、容器本体１０の筒部１５の内径よりも若干小さく設定されており、底壁１１との間に上下方向の隙間が生じるように筒部１５に上壁３１の周縁が挿入可能となっている。つまり、結合状態にある容器本体１０、中容器２０及びカバー３０（即ち切り花用容器１）を１組とする２組を上下方向に積み重ねることが可能となっている。このとき、上方に位置する切り花用容器１の筒部１５の径方向（下方に位置する切り花用容器１の上壁３１の周縁に交差する方向）に連通する通気溝１５ａ及び下方に位置する切り花用容器１（カバー３０）の通気孔３１ａを通じて当該カバー３０内が通気される。
【００２２】
次に、容器本体１０、中容器２０及びカバー３０の結合構造について説明する。
図３（ａ）、（ｂ）及び図４に示すように、容器本体１０の第１折返し部１４は、内周側及び外周側に円環状の第１内周側嵌合部１６及び第１外周側嵌合部１７をそれぞれ有するとともに、それら第１内周側嵌合部１６及び第１外周側嵌合部１７の下端同士を接続する第１接続部１８を有する。第１内周側嵌合部１６は、フランジ部１３の外周縁に接続されて下方斜め内側に延びており、下端に向かうに従って徐々に縮径している。同様に、第１外周側嵌合部１７は、第１接続部１８の外周縁に接続されて上方斜め内側に延びており、上端に向かうに従って徐々に縮径している。
【００２３】
つまり、第１内周側嵌合部１６及び第１外周側嵌合部１７は、第１折返し部１４が全体として下端（先端）に向かうに従って徐々に拡開していくように逆テーパ形状を呈している。
【００２４】
中容器２０の第２折返し部２４は、内周側及び外周側に円環状の第２内周側嵌合部２６及び第２外周側嵌合部２７をそれぞれ有するとともに、それら第２内周側嵌合部２６及び第２外周側嵌合部２７の下端同士を接続する第２接続部２８を有する。第２内周側嵌合部２６は、フランジ部２３の外周縁に接続されて下方斜め内側に延びており、下端に向かうに従って徐々に縮径している。第２内周側嵌合部２６の内面（内周面）２６ｉの内径は、第１内周側嵌合部１６の外面（外周面）１６ｏの外径と同等に設定されている。同様に、第２外周側嵌合部２７は、第２接続部２８の外周縁に接続されて上方斜め内側に延びており、上端に向かうに従って徐々に縮径している。第２外周側嵌合部２７の外面（外周面）２７ｏの外径は、第１外周側嵌合部１７の内面（内周面）１７ｉの内径と同等に設定されている。
【００２５】
つまり、第２内周側嵌合部２６及び第２外周側嵌合部２７は、第２折返し部２４が全体として下端（先端）に向かうに従って徐々に拡開していくように逆テーパ形状を呈している。そして、第２折返し部２４が第１折返し部１４内に装着された状態では、第２内周側嵌合部２６の内面２６ｉ及び第２外周側嵌合部２７の外面２７ｏは、第１内周側嵌合部１６の外面１６ｏ及び第１外周側嵌合部１７の内面１７ｉにそれぞれ当接又は圧接状態で嵌合する。
【００２６】
カバー３０の第３折返し部３４は、内周側及び外周側に円環状の第３内周側嵌合部３６及び第３外周側嵌合部３７をそれぞれ有するとともに、それら第３内周側嵌合部３６及び第３外周側嵌合部３７の下端同士を接続する第３接続部３８を有する。第３内周側嵌合部３６は、第３開口３０ａの周縁に接続されて下方斜め内側に延びており、下端に向かうに従って徐々に縮径している。第３内周側嵌合部３６の内面（内周面）３６ｉの内径は、第２内周側嵌合部２６の外面（外周面）２６ｏの外径と同等に設定されている。同様に、第３外周側嵌合部３７は、第３接続部３８の外周縁に接続されて上方斜め内側に延びており、上端に向かうに従って徐々に縮径している。第３外周側嵌合部３７の外面（外周面）３７ｏの外径は、第２外周側嵌合部２７の内面（内周面）２７ｉの内径と同等に設定されている。
【００２７】
つまり、第３内周側嵌合部３６及び第３外周側嵌合部３７は、第３折返し部３４が全体として下端（先端）に向かうに従って徐々に拡開していくように逆テーパ形状を呈している。そして、第３折返し部３４が第２折返し部２４内に装着された状態では、第３内周側嵌合部３６の内面３６ｉ及び第３外周側嵌合部３７の外面３７ｏは、第２内周側嵌合部２６の外面２６ｏ及び第２外周側嵌合部２７の内面２７ｉにそれぞれ当接又は圧接状態で嵌合する。
【００２８】
本実施形態の作用について説明する。
第１、第２及び第３折返し部１４，２４，３４は、第１内周側嵌合部１６の外面１６ｏと第２内周側嵌合部２６の内面２６ｉとが嵌合するとともに、第２内周側嵌合部２６の外面２６ｏと第３内周側嵌合部３６の内面３６ｉとが嵌合することで、それらの内外方向の重なり合いによる二重の嵌合状態となる。同様に、第１、第２及び第３折返し部１４，２４，３４は、第１外周側嵌合部１７の内面１７ｉと第２外周側嵌合部２７の外面２７ｏとが嵌合するとともに、第２外周側嵌合部２７の内面２７ｉと第３外周側嵌合部３７の外面３７ｏとが嵌合することで、それらの内外方向の重なり合いによる二重の嵌合状態となる。従って、容器本体１０、中容器２０及びカバー３０は、第１、第２及び第３折返し部１４，２４，３４の内外の２箇所で二重の嵌合状態となることで、それら容器本体１０、中容器２０及びカバー３０の嵌合がより外れにくくなるようにできる。
【００２９】
すなわち、容器本体１０、中容器２０及びカバー３０の嵌合状態では、容器本体１０の第１内周側嵌合部１６の外側に中容器２０の第２内周側嵌合部２６が嵌合することで、第１内周側嵌合部１６が第２内周側嵌合部２６に押されて内側に変形して逃げようとするとともに、第２内周側嵌合部２６が第１内周側嵌合部１６に押されて外側に変形して逃げようとする。しかしながら、第２内周側嵌合部２６の更に外側にカバー３０の第３内周側嵌合部３６が位置しているため、第２内周側嵌合部２６が第３内周側嵌合部３６によって外側から支えられることになって第２内周側嵌合部２６の外側への変形が抑制される。これにより、第２内周側嵌合部２６が第１内周側嵌合部１６に対して緩みにくくなって、第２内周側嵌合部２６及び第１内周側嵌合部１６の嵌合状態がより堅固に維持される。
【００３０】
同時に、容器本体１０の第１外周側嵌合部１７の内側に中容器２０の第２外周側嵌合部２７が嵌合することで、第１外周側嵌合部１７が第２外周側嵌合部２７に押されて外側に変形して逃げようとするとともに、第２外周側嵌合部２７が第１外周側嵌合部１７に押されて内側に変形して逃げようとする。しかしながら、第２外周側嵌合部２７の更に内側にカバー３０の第３外周側嵌合部３７が位置しているため、第２外周側嵌合部２７が第３外周側嵌合部３７によって内側から支えられることになって第２外周側嵌合部２７の内側への変形が抑制される。これにより、第２外周側嵌合部２７が第１外周側嵌合部１７に対して緩みにくくなって、第２外周側嵌合部２７及び第１外周側嵌合部１７の嵌合状態がより堅固に維持される。
【００３１】
あるいは、容器本体１０、中容器２０及びカバー３０の嵌合状態では、カバー３０の第３内周側嵌合部３６の内側に中容器２０の第２内周側嵌合部２６が嵌合することで、第３内周側嵌合部３６が第２内周側嵌合部２６に押されて外側に変形して逃げようとするとともに、第２内周側嵌合部２６が第３内周側嵌合部３６に押されて内側に変形して逃げようとする。しかしながら、第２内周側嵌合部２６の更に内側に容器本体１０の第１内周側嵌合部１６が位置しているため、第２内周側嵌合部２６が第１内周側嵌合部１６によって内側から支えられることになって第２内周側嵌合部２６の内側への変形が抑制される。これにより、第２内周側嵌合部２６が第３内周側嵌合部３６に対して緩みにくくなって、第２内周側嵌合部２６及び第３内周側嵌合部３６の嵌合状態がより堅固に維持される。
【００３２】
同時に、カバー３０の第３外周側嵌合部３７の外側に中容器２０の第２外周側嵌合部２７が嵌合することで、第３外周側嵌合部３７が第２外周側嵌合部２７に押されて内側に変形して逃げようとするとともに、第２外周側嵌合部２７が第３外周側嵌合部３７に押されて外側に変形して逃げようとする。しかしながら、第２外周側嵌合部２７の更に外側に容器本体１０の第１外周側嵌合部１７が位置しているため、第２外周側嵌合部２７が第１外周側嵌合部１７によって外側から支えられることになって第２外周側嵌合部２７の外側への変形が抑制される。これにより、第２外周側嵌合部２７が第３外周側嵌合部３７に対して緩みにくくなって、第２外周側嵌合部２７及び第３外周側嵌合部３７の嵌合状態がより堅固に維持される。
【００３３】
以上により、第１内周側嵌合部１６及び第３内周側嵌合部３６が第２内周側嵌合部２６を挟んで内外方向に押し合うことで、第１内周側嵌合部１６及び第２内周側嵌合部２６の嵌合、並びに第２内周側嵌合部２６及び第３内周側嵌合部３６の嵌合が外れにくくなる。加えて、第１外周側嵌合部１７及び第３外周側嵌合部３７が第２外周側嵌合部２７を挟んで内外方向に押し合うことで、第１外周側嵌合部１７及び第２外周側嵌合部２７の嵌合、並びに第２外周側嵌合部２７及び第３外周側嵌合部３７の嵌合が外れにくくなる。
【００３４】
本実施形態の効果について説明する。
（１）本実施形態では、容器本体１０、中容器２０及びカバー３０は、第１、第２及び第３折返し部１４，２４，３４の内外の２箇所で二重の嵌合状態となることで、それら容器本体１０、中容器２０及びカバー３０の嵌合がより強固に外れにくくなるようにできる。
【００３５】
（２）本実施形態の包装用容器としての切り花用容器１では、容器本体１０、中容器２０及びカバー３０は、第１、第２及び第３折返し部１４，２４，３４の内外の２箇所で二重の嵌合状態となることで、例えば容器本体１０に水（又は保水材）を入れている場合に内部からの水漏れを抑制できる。
【００３６】
（３）本実施形態の切り花用容器１では、中容器２０（底壁２１）には、切込み２１ａが形成されていることで、例えば容器本体１０に水や保水材を入れている場合、カバー３０側から切り花Ｆの茎を切込み２１ａに挿入して容器本体１０内に進入させることで、当該切り花Ｆをより安定した姿勢で支持する状態で水やりできる。特に、底壁２１を切込み２１ａに合わせて弾性変形させつつ切り花Ｆの茎を挿入することになるため、その弾性復帰力で切り花Ｆの茎を負荷をかけることなくしっかりと支持できる。そして、切り花用容器１の運搬時に内部の切り花Ｆがずれたりすることを抑制できる。
【００３７】
（４）本実施形態の切り花用容器１では、カバー３０の上壁３１に通気孔３１ａが形成されていることで、容器本体１０、中容器２０及びカバー３０の嵌合状態にあっても、通気孔３１ａを通じてカバー３０内に通気できる。また、容器本体１０の筒部１５に通気溝１５ａが形成されていることで、嵌合状態にある容器本体１０、中容器２０及びカバー３０（切り花用容器１）を１組とする２組を上下方向に積み重ねたとしても、上方に位置する容器本体１０の通気溝１５ａ及び下方に位置するカバー３０の通気孔３１ａを通じて当該カバー３０内に通気できる。
【００３８】
（５）本実施形態の切り花用容器１では、容器本体１０、中容器２０及びカバー３０は、同一箇所に位置する第１、第２及び第３折返し部１４，２４，３４で嵌合することで、容器全体としての形状をより簡素化できる。
【００３９】
本実施形態は、以下のように変更して実施することができる。本実施形態及び以下の変更例は、技術的に矛盾しない範囲で互いに組み合わせて実施することができる。
・前記実施形態の切り花用容器１において、底壁２１の切込み２１ａに代えて、透孔としての適宜形状の貫通孔を採用してもよい。
【００４０】
・前記実施形態の切り花用容器１において、容器本体１０の筒部１５の通気溝１５ａの個数は任意に変更してもよい。また、通気溝１５ａや筒部１５自体を省略してもよい。
・前記実施形態の切り花用容器１において、カバー３０の通気孔３１ａの個数は任意に変更してもよい。また、通気孔３１ａを省略してもよい。
【００４１】
・前記実施形態の切り花用容器１において、底壁２１の切込み２１ａを省略してもよい。この場合、切り花用容器１は、第１容器としての容器本体１０及び第３容器としてのカバー３０の内部空間を第２容器としての中容器２０で仕切る包装用容器として使用してもよい。この包装用容器では、２つの内容物を容器本体１０及び中容器２０により上下に分離して収容できる。特に、容器本体１０、中容器２０及びカバー３０は、第１、第２及び第３折返し部１４，２４，３４の内外の２箇所で二重の嵌合状態となることで、例えば容器本体１０又は中容器２０に水を入れている場合に、仮に包装用容器（切り花用容器１）を横に倒して運搬したとしても内部からの水漏れを抑制できる。
【００４２】
・前記実施形態の包装用容器としての切り花用容器１において、第１、第２及び第３開口１０ａ，２０ａ，３０ａは、円形以外の形状（例えば多角形や長円形など）であってもよい。つまり、容器本体１０及び中容器２０は、円形以外の盛り皿状に成形されていてもよいし、カバー３０は、円形以外のドーム状に成形されていてもよい。
【００４３】
・前記実施形態の包装用容器としての切り花用容器１において、容器本体１０、中容器２０及びカバー３０の各々は、ＡＢＳ、ＡＥＳ、ＰＭＭＡ、ＰＣ、ＰＰ、ＰＥ、ＰＳ、ＰＶＣなどの合成樹脂製であってもよい。
【００４４】
・第１、第２及び第３折返し部１４，２４，３４を備える結合装置は、切り花用容器１や包装用容器以外に適用してもよい。例えば合成樹脂製の第１〜第３部材としての適宜の３点のセット製品において、当該３点の開口（第１〜第３開口）の周縁に沿って第１〜第３折返し部をそれぞれ延設してもよい。
【００４５】
上記実施形態及び変更例から把握できる技術的思想について記載する。
（イ）上記切り花用容器において、
前記透孔は切込みである、切り花用容器。
【００４６】
この構成によれば、前記底壁を前記切込みに合わせて弾性変形させつつ切り花の茎を挿入することになるため、その弾性復帰力で切り花の茎を負荷をかけることなくしっかりと支持できる。
【符号の説明】
【００４７】
１…切り花用容器（包装用容器）、１０…容器本体（第１部材、第１容器）、１０ａ…第１開口、１４…第１折返し部、１５…筒部、１５ａ…通気溝、１６…第１内周側嵌合部、１６ｏ…外面、１７…第１外周側嵌合部、１７ｉ…内面、２０…中容器（第２部材、第２容器）、２０ａ…第２開口、２１ａ…切込み（透孔）、２４…第２折返し部、２６…第２内周側嵌合部、２６ｉ…内面、２６ｏ…外面、２７…第２外周側嵌合部、２７ｉ…内面、２７ｏ…外面、３０…カバー（第３部材、第３容器）、３０ａ…第３開口、３１ａ…通気孔、３４…第３折返し部、３６…第３内周側嵌合部、３６ｉ…内面、３７…第３外周側嵌合部、３７ｏ…外面。
【図１】
2019196204.tif 000003
【図２】
2019196204.tif 000004
【図３】
2019196204.tif 000005
【図４】
2019196204.tif 000006